(57)【要約】【課題】  一般住宅用の基礎工事において複数の異なる設置幅に対応できるコンクリート型枠の幅止め金具を提供する。【解決手段】幅止め金具の中程より左側に複数の選択孔を備え、右側には突起部を備え、中程切欠部で切り離し、左側複数の選択孔に右側の突起部を入れ合わせて釘を挿入することで嵌合し、複数の長さに調整できる、幅止め金具。【選択図】  図１
0003135524.tif 000002
【実用新案登録請求の範囲】
【請求項１】
型枠のせき板間の間隔を一定に保持するための幅止め金具１であって、一枚の金属細片から一体に形成され、中程より左側に複数の選択孔３を備え、右側には突起部２を備え、中程切欠部５で切り離し左側複数の選択孔３に右側の突起部２を入れ合わせて、釘を挿入することで嵌合し、複数の長さに調整できることを特徴とする幅止め金具。
【考案の詳細な説明】
【技術分野】
【０００１】
本考案は一般住宅用の土台を施工する基礎工事の際の使用に適している幅止め金具に関するものである。
【背景技術】
【０００２】
打ち込まれたコンクリートを所定の形状、寸法に保ち、コンクリートが適当な強度に達するまで支持する仮設構造物である型枠は、型枠を仮設する際、せき板間の間隔を一定に保持するため、該せき板の外側への移動を阻止する手段を有する幅止め金具の上にせき板が載置され、型枠が組付けられるのが一般的である。また幅止め金具はせき板の上部にも幅止め金具が通常取付けられ、上部と下部において、せき板の移動が阻止される。
この幅止め金具は、通常の鉄製金属細片からプレス加工され、コンクリート構造物、すなわち基礎土台の幅に応じて各種の大きさのものが現在市販されている。図９に従来の幅止め金具を示す。
【０００３】
しかしながら、従来の幅止め金具は、型枠の間隔が一定のもののみの使用であるため、構造物の寸法変更が生じたときは、その寸法に見合う幅止め金具に変更しなければならなかった。又、現在住宅基礎の寸法中は１２０mm、１３５mm、１５０mmが主流であり、その中で１種類だけでよいという場合は少なく１００mmという寸法も一部にあり多種の幅止め金具を用意しなければならなかった。
それゆえ、住宅基礎業者は、常に複数種類の幅止め金具を在庫し、受注から在庫確認、発注を行なわなければならず、手違いで違う寸法の幅止め金具が混ざった場合、分別するのにかなりの時間を費した。
そこで特開平１１−８１６６９、実開昭５１−９９４３４は左右２つの部材を重ね合わせ、長孔もしくは複数の選択孔を蝶ネジで係合することにより複数の幅止め金具の幅を可能としている。
しかし蝶ネジのボルトナットを使用しており、せき板の下部の幅止め金具は埋設であり再使用できずその為にコストがかかってしまう。又、せき板上部の幅止め金具は、打設時のコンクリート付着などによりネジの不具合が多く発生する。
【特許文献１】特開平１１−８１６６９
【特許文献２】実開昭５１−９９４３４
【考案の開示】
【考案が解決しようとする課題】
【０００４】
一般住宅用の基礎工事において、複数の異なる設置幅に対応できる幅止め金具の提供を課題としてなされたものである。
【課題を解決するための手段】
【０００５】
型枠のせき板間の間隔を一定に保持するための幅止め金具であって一枚の金属細片から一体に形成され、中程より左側に複数の選択孔を備え右側には突起部を備え、中程切欠部で切り離し、左側複数の選択孔に右側の突起部を入れ合わせて、釘を挿入することで嵌合し、複数の長さに調整できることを特徴とする幅止め金具。
【考案の効果】
【０００６】
型枠作業中に異種の寸法の幅止め金具が混っても、本考案の幅止め金具であれば、寸法を測らなくとも選択孔のどの位置に入っているかで、一目瞭然でせき板間隔Ｗがわかる。
４種類の幅止め金具の在庫を大幅減少させることができ、注文、管理上の煩わしさを解消し得ることができる。
【考案を実施するための最良の形態】
【０００７】
本考案の幅止め金具は基礎土台を施工しようとする地面またはベタ基礎上に置き、その上に型枠を仮設する。上記型枠止め金具の起立部の間隔でせき板は互いに離間され、該せき板間にコンクリートが打ち込まれる。
【実施例１】
【０００８】
図１は本考案の幅止め金具の斜視図、図２は側面図である。この幅止め金具は、突起部２、選択孔３、起立部４、切欠部５を備えている。
せき板間の間隔Ｗは図２の状態では１５０mmの寸法がとられている。中央部切欠部５は、この幅止め金具のプレス加工時に両端部のみ残して切断されている。これは型枠組及び解体時に多少切欠部で曲がっても切断分離しないためである。
【０００９】
図３は本考案の幅止め金具１の嵌合状態の斜視図で図４は、図３のＡ−Ａ断面図である。
本考案幅止め金具１の断面は、該幅止め金具１の中程で切り離された穴起部２を選択孔３に下側より入れると図４に示すようにぴったりと重なり合うようにプレス加工されている。
幅止め金具の中ほどの切欠部５の場所の両端部をクリッパー及び切断機によって切り離し、選択孔３の中へ、突起部２を下側より入れると、選択孔３上側に突起部２が少し出てくる。
その突起部２の横方向には、穴があいており釘６を差し込むと嵌合完了である。突起部２の釘６を差し込む穴は、釘６の直径より少し小さい穴で差し込む時、ハンマーで叩き込むくらいが適当である。釘６は基礎業者が普通使用している４５mm程度の釘が良い。
釘６の差し込む方向は、選択孔３側から差し込むと釘６の頭の部分の径が釘６の線材部分の径より大きいので選択孔３に引っ掛り抜け止めとなる。
せき板間の間隔Ｗは、選択孔３１に突起部２を下側から入れて、長さ４５mm程度の釘を選択孔３２側より差し込むと１３５mmの寸法になる。
同様に中程で切断された突起部２側を、選択孔３２に下側より入れて釘で止めると１２０mmの寸法になる。
同様に中程で切断された突起部２側を選択孔３３に下側より入れて針で止めると１００mmの寸法になる。
この時釘６は選択孔３２の方向より差し込む。
【００１０】
図５は、本考案の幅止め金具の第２実施例を示す斜視図である。
図６は、本考案の幅止め金具の第２実施例を示す嵌合状態の斜視図である。この幅止め金具１の断面はコの字を伏せた形の断面であり、幅止め金具１中程の切欠部５の両端を切断して、右側及び左側を重ね合せ、内側穴７に所望するせき板間の間隔Ｗに合った選択孔３を合わせ、釘６を挿入する。そして反対側へ出た釘６の先を抜けないように曲げておく。
この幅止め金具１の断面も図４で示すように重ね合せるとぴったり合うようにプレス加工されている。
【００１１】
図７は、本考案の幅止め金具の第３実施例を示す斜視図である。
図８は、本考案の幅止め金具の第３実施例を示す嵌合状態の斜視図である。この幅止め金具の断面は図５のものと同じで選択孔３は長方形をしており幅は、幅止め金具の材料の鉄片の厚みより少し大きい程度が良い。
突起部２はプレス時に半円部のみ切り取られ、上方に折り曲げられ嵌合用の穴があけられている。
幅止め金具を中程の切欠部５で切断して、突起部２に所望の選択孔３を合わせ、釘６を挿入する。釘６は選択孔３で釘６の頭が引っ掛り嵌合完了である。
【図面の簡単な説明】
【００１２】
【図１】本考案の幅止め金具の斜視図である。
【図２】本考案の幅止め金具の側面図である。
【図３】本考案の幅止め金具の嵌合状態の斜視図である。
【図４】図３のＡ−Ａ断面図である。
【図５】本考案の幅止め金具の第２実施例を示す斜視図である。
【図６】本考案の幅止め金具の第２実施例を示す嵌合状態の斜視図である。
【図７】本考案の幅止め金具の第３実施例を示す斜視図である。
【図８】本考案の幅止め金具の第３実施例を示す嵌合状態の斜視図である。
【図９】従来の幅止め金具の斜視図である。
【符号の説明】
【００１３】
１    幅止め金具
２    突起部
３    選択孔
３１  選択孔
３２  選択孔
３３  選択孔
４    起立部
５    切欠部
６    釘
７    内側穴
８    せき板
Ｗ    せき板の間隔
【図１】
0003135524.tif 000003
【図２】
0003135524.tif 000004
【図３】
0003135524.tif 000005
【図４】
0003135524.tif 000006
【図５】
0003135524.tif 000007
【図６】
0003135524.tif 000008
【図７】
0003135524.tif 000009
【図８】
0003135524.tif 000010
【図９】
0003135524.tif 000011